(57)【要約】【課題】シラスバルーン混練物土壌に植栽した改良種のイワダレソウを、極寒下、極暑下あるいは乾燥下という苛酷環境下でも生育可能とすること。【解決手段】相互連結可能な植栽用コンテナに土壌を入れ、この土壌に草花を植栽してなる屋外緑化資材ユニットにおいて、土壌には、シラスバルーンに珪酸アルカリ水溶液を添加・混練して得られたシラスバルーン混練物３を選択するとともに、草花には改良種のイワダレソウ４を選択したこと。【選択図】図１
2009195216.tif 000002
【特許請求の範囲】
【請求項１】
相互連結可能な植栽用コンテナに土壌を入れ、この土壌に草花を植栽してなる屋上緑化資材ユニットにおいて、上記土壌には、シラスバルーンに珪酸アルカリ水溶液を添加・混練して得られたシラスバルーン混練物を選択するとともに、草花には改良種のイワダレソウを選択したことを特徴とする屋上緑化資材ユニット。
【発明の詳細な説明】
【技術分野】
【０００１】  本発明は、シラスバルーンと改良種のイワダレソウを組み合わせた屋上緑化資材の改良に関するものである。
【背景技術】
【０００２】  近年、ヒートアイランド現象への対策、建築物の断熱性や耐久性の向上、躯体の保護、大気汚染物質の吸収・吸着あるいは景観の向上等を目的として屋上緑化が注目されている。そして、通常行われる屋上緑化は、屋上面に防水・防根工事や灌漑排水処理を施したうえで、盛り土をし、草木等を植栽するのが一般的である。【０００３】  また、上記屋上緑化工事では、大規模な防水・防根工事が不可欠であるところから、最近では、防水・防根工事のいらないユニット形式（コンテナ方式）の屋上緑化資材が注目され、一例として草木植込デッキ材（特許３１４８９０１号）が提案されている。【０００４】
【特許文献１】  特許第３１４８９０１号
【０００５】  ところが、上記屋上緑化工事にしても、ユニット形式（コンテナ方式）の屋上緑化資材にしても、植物を植栽する土壌については、例えば山土に腐葉土や有機物を配合する等、一般的な配慮しか払われていないのが現状である。土壌は、植物の生育には不可欠のものであり、土壌次第でその生育環境に多大な影響を及ぼすことは周知の事実である。にもかかわらず、現状では、生育に必要な土壌が優先され、過酷な生育環境に対応できる土壌には関心が持たれていなかった。
【発明の開示】
【発明が解決しようとする課題】
【０００６】  ところで、本発明に用いられるシラスバルーンは、火山噴出物を８００℃〜１０００℃に焼成した発泡粒子であり、本共同出願人も火山噴出物発泡粒子集塊物として特許第２９５８５６０号を所有している。本発明者は、このシラスバルーンを長年に亘り観察してきたところ、最近になって、このシラスバルーンには、植栽土壌としたときに、潜在的に過酷環境下での耐候性があることを発見した。そこで、これを植物植栽の土壌に利用し、これに改良種のイワダレソウを植栽した屋上緑化用のコンテナにすれば、このイワダレソウが、極寒下、極暑下あるいは乾燥下等の過酷条件下での生育環境にも十分対応できるのではないかとの発想のもと、本発明を完成させた。
【課題を解決するための手段】
【０００７】  すなわち、本発明は、相互連結可能な植栽用コンテナに土壌を入れ、この土壌に草花を植栽してなる屋外緑化資材ユニットにおいて、土壌には、シラスバルーンに珪酸アルカリ水溶液を添加・混練して得られたシラスバルーン混練物を選択するとともに、草花には改良種のイワダレソウを選択したことを特徴とする屋外緑化資材ユニットである。
【発明の効果】
【０００８】  本発明によると、シラスバルーン混練物土壌に改良種のイワダレソウを植栽することで、シラスバルーンが潜在的に持つ耐候性により、植栽した改良種のイワダレソウを、極寒下、極暑下あるいは乾燥下という苛酷環境下でも十分に生育させることができた。
【発明を実施するための最良の形態】
【０００９】  本発明による屋外緑化資材ユニットは、例えば図１に示すように、縦３００ｍｍ、横３００ｍｍ、深さ５０ｍｍの皿状コンテナ１が用いられる。このコンテナ１の底には複数の排水孔２が形成され、図示を省略するが相互に連結可能なジョイントが形成されている。そして、このコンテナ１に、シラスバルーンに珪酸アルカリ水溶液を添加・混練して得られたシラスバルーン混練物土壌（以下、シラスバルーン土壌という。）３を入れ、これに改良種のイワダレソウ４を植栽して水遣りしたものである。【００１０】  改良種のイワダレソウは、本共同出願人である宇都宮大学雑草科学研究センター所長の倉持仁志が、在来種のイワダレソウに改良を加え、種子を作らない耐寒性宿根草として開発したもので、品種登録出願番号第１８５９１号及び第１８５９２号として種苗登録申請中のものである。なお、シラスバルーン土壌３には、保水力向上のため、感温吸排水性樹脂（商品名：「サーモゲル」、興人株式会社製）を混合することもできる。これにより、２週間程度の無灌水状態でも草花の生育を保持することができる。
【実施例】
【００１１】「実施例１」イワダレソウ（改良種）の耐寒試験
平成１８年１月〜同年２月２８日までの約２ケ月間、宇都宮大学雑草科学研究センター所長の倉持仁志が中心となり、冬季最低温度が−２３℃になる栃木県の各所（日光市、那須塩原市等数ケ所）で、イワダレソウ（改良種）の耐寒育苗フィールド試験を行った。なお、イワダレソウは、３００ｍｍ×３００ｍｍ×５０ｍｍ容積のコンテナに入れられたシラスバルーン土壌に植栽されたものを用いた。同期間中観察を行ったが、イワダレソウが枯れることはなかった。シラスバルーン以外の土壌での同様な試験では、土壌が凍結を起こし、イワダレソウは枯死していた。【００１２】「実施例２」イワダレソウ（改良種）の耐暑試験
平成１９年７月〜９月３０日までの約３ケ月間、宇都宮大学雑草科学研究センター内の温室において、所長倉持仁志が温室温度をヒーターにより日中は５０℃に保ってイワダレソウ（改良種）の耐暑育苗試験を行った。なお、夜間はヒーター電源を切っていたため、温室内の温度は３５℃〜４０℃となっていた。イワダレソウは、３００ｍｍ×３００ｍｍ×５０ｍｍ容積のコンテナに入れられたシラスバルーン土壌に植栽されたものを用いた。灌水は１回当たり４リットルで、１週間に１回行った。水の灌水の目安は、目視でシラスバルーンの底が乾燥した状態のときに行った。この過酷な温度条件でも、イワダレソウは旺盛な繁茂を示し、枯れることはなかった。なお、通常の土壌を用いて上記同様にイワダレソウの生育試験を行ったが、高温で根腐れを起こしてしまったため枯れてしまった。【００１３】「実施例３」イワダレソウ（改良種）の耐雪性試験
平成１８年１月〜２月２８日までの約２ケ月間、イワダレソウを市販の培養土に植栽したもの（対照区、コンテナ容積：３００ｍｍ×３００ｍｍ×５０ｍｍ）と、イワダレソウをシラスバルーン土壌に植栽したもの（本発明区、コンテナ容積同上）を、栃木県日光市の屋外に放置し、降雪後積雪した状態で３０日間後に雪を取り除いてイワダレソウの育成状態を観察したところ、対照区のイワダレソウが低温火傷で完全に枯れてしまったのに対し、本発明区のイワダレソウは全く変化がなかった。同様の試験をダイカンドラ（植物名）でも行ったが、同様の結果となった。【００１４】「実施例４」シラスバルーン土壌の吸水性試験
３００ｍｍ×３００ｍｍ×５０ｍｍ容積のコンテナに、緑化用の無機土壌（対照区１）、無機質７０％と有機質３０％の強化土壌（対照区２）及び無機質シラスバルーン土壌（本発明区）を入れ、室温３０℃の温室にそれぞれの含水率が０になるまで放置した。各土壌の含水率は含水計により計測した。含水率０の状態でのそれぞれの重量は、対照区１で１３５０ｇ、対照区２で１６００ｇ，本発明区で１０００ｇであった。これにジョウロで水１０００ｇ給水してその後の各重量を測定したしたところ、対照区１では１３５０ｇ、対象区２で１６００ｇ、本発明区で２０００ｇとなった。この結果から分かるように、対照区１と対照区２の土壌は完全乾燥すると水を弾いて吸水しないが、本発明区の土壌では、スムーズに吸水することが判明した。つまり、無機質土壌は乾燥すると水を撥水して吸収しないという園芸業界での定説を実証する結果となったのに対し、無機質シラスバルーン土壌では優れた吸水性が実証された。【００１５】「実施例５」シラスバルーン土壌の保水能力試験（１）
テストピースとして、３００ｍｍ×３００ｍｍ×５０ｍｍ容積のコンテナにシラスバルーン土壌を入れ、ダイカンドラの種子を蒔いて灌水し、発芽後３ケ月の状態のものに水５０００ｇを含ませ、平成１６年１月１７日〜４月２０日までの間で９回保水量を測定した。測定結果は表１の通り。【００１６】
【表１】
2009195216.tif 000003
【００１７】「実施例６」シラスバルーン土壌の保水能力試験（２）
テストピースとして、３００ｍｍ×３００ｍｍ×５０ｍｍ容積のコンテナにシラスバルーン土壌を入れ、これに感温吸排水性樹脂（商品名：「サーモゲル」）３ｇを添加した。このときの乾燥重量は１０００ｇであった。これに水４０００ｇを含ませ、総重量５０００ｇとした。試験は、平成１８年７月〜８月の３５日間で行われ、炎天下で２１日間屋外放置した。うち３日間は雨天のため、屋内移動した。その間の平均気温は２９℃で、２１日目で総重量が１１５０ｇになったが、保水性が確認された。
【図面の簡単な説明】
【００１８】
【図１】本発明による屋外緑化資材ユニットの一例を示す一部破断の正面図である。
【符号の説明】
【００１９】  １    コンテナ
２    排水孔
３    シラスバルーン土壌
４    改良種のイワダレソウ
【図１】
2009195216.tif 000004